(57)【要約】【課題】リモコン操作により表示内容を編集することができ、しかも、悪意ある第３者が表示内容を勝手に変更しようとする行為が目立つように、表示画面の輝度を変動させることができる画像表示機器を得る。【解決手段】画像表示機器２０４ａにおいて、電子広告であるコンテンツ（画像）を表示する表示部７００ａと、リモコン１００ｃの操作に基づいてコンテンツを編集する編集部４００と、コンテンツの編集を禁止する編集ロック状態とコンテンツの編集を許諾する編集ロック解除状態とを、リモコン１００ｃからのパスワードの入力により切替える編集ロック部１１００とを備え、編集ロック状態で、この編集ロック状態を解除するためのパスワードの入力操作が行われたとき、表示部７００の表示輝度が変動するよう構成した。【選択図】図６
2013152547.tif 000002
【特許請求の範囲】
【請求項１】
画像を表示する表示部を備えた画像表示機器であって、
該画像を表す画像情報と、該画像の表示形態を決める表示制御情報とを保存する保存部と、
該保存部に保存されている画像情報及び表示制御情報を編集する編集部と、
該保存部に保存されている画像情報及び表示制御情報に基づいて、決められた表示形態で該画像が表示されるよう該表示部を制御する制御部と、
操作者の操作に応じた操作信号を出力する操作部とを備え、
該編集部は、
該操作部からの操作信号に基づいて、該保存部に保存されている画像情報及び表示制御情報を編集し、編集した画像情報及び表示制御情報を該保存部に保存するよう構成されている、画像表示機器。
【請求項２】
請求項１に記載の画像表示機器において、
前記操作部は、
前記操作者の操作に応じたリモコン操作信号を無線信号として送信する無線入力装置と、
該無線入力装置からの無線信号を受信する無線受信部とを有し、
受信した無線信号を前記操作信号として前記編集部に出力するものである、画像表示機器。
【請求項３】
請求項１に記載の画像表示機器において、
前記操作部は、
１以上の操作ボタンを含む、前記操作者による該操作ボタンの操作に応じたボタン操作信号を出力するボタン操作部を有し、該ボタン操作信号を前記操作信号として前記編集部に出力するものである、画像表示機器。
【請求項４】
請求項１に記載の画像表示機器において、
前記操作部は、キーボードと接続される接続端子を有し、該接続端子に接続されたキーボードの操作に応じたキーボード操作信号を前記操作信号として前記編集部に出力するものである、画像表示機器。
【請求項５】
請求項１から請求項４のいずれか１項に記載の画像表示機器において、
前記操作部は、輝度を調整する操作により輝度指令信号を出力するよう構成されており、
前記制御部は、
前記操作部からの輝度指令信号に基づいて、前記表示部に表示される画像の輝度を制御する輝度制御部を有する、画像表示機器。
【請求項６】
請求項１から請求項４のいずれか１項に記載の画像表示機器において、
光を発する発光部を備え、
前記操作部は、輝度を調整する操作により輝度指令信号を出力するよう構成されており、
前記制御部は、
前記操作部からの輝度指令信号に基づいて、該発光部での発光輝度を制御する発光制御部を有する、画像表示機器。
【請求項７】
請求項１から請求項６のいずれか１項に記載の画像表示機器において、
前記操作部からの操作信号に基づいて、前記編集部による画像情報及び表示制御情報の編集を禁止するロック制御と、前記編集部による画像情報及び表示制御情報の編集禁止を解除するロック解除制御とを行う編集ロック部を備えている、画像表示機器。
【請求項８】
請求項５に記載の画像表示機器において、
前記操作部からの操作信号に基づいて、前記編集部による画像情報及び表示制御情報の編集を禁止するロック制御と、前記編集部による画像情報及び表示制御情報の編集禁止を解除するロック解除制御とを行う編集ロック部を備え、
該編集ロック部は、前記編集部による画像情報及び表示制御情報の編集が禁止された状態で、前記編集部による画像情報及び表示制御情報の編集禁止を解除する操作が行われたとき、前記制御部を制御して、前記輝度制御部に、前記表示部に表示される画像の輝度変化が生ずるよう該表示部の制御を行わせる、画像表示機器。
【請求項９】
請求項６に記載の画像表示機器において、
前記操作部からの操作信号に基づいて、前記編集部による画像情報及び表示制御情報の編集を禁止するロック制御と、前記編集部による画像情報及び表示制御情報の編集禁止を解除するロック解除制御とを行う編集ロック部を備え、
該編集ロック部は、前記編集部による画像情報及び表示制御情報の編集が禁止された状態で、前記編集部による画像情報及び表示制御情報の編集禁止を解除する操作が行われたとき、前記制御部を制御して、前記発光制御部に、前記発光部での発光輝度の変化が生ずるよう該発光部の制御を行わせる、画像表示機器。
【請求項１０】
請求項１から請求項９のいずれか１項に記載の画像表示機器を動作させるための制御プログラムであって、
コンピュータを、該画像表示機器を構成する各部として機能させるための制御プログラム。
【請求項１１】
画像を表示する画像表示装置を制御する半導体モジュールとして構成された表示制御装置であって、
該画像を示す画像情報と、該画像の表示形態を決める表示制御情報とを保存する保存部と、
該保存部に保存されている画像情報及び表示制御情報を編集する編集部と、
該保存部に保存されている画像情報及び表示制御情報に基づいて、決められた表示形態で該画像が表示されるよう該画像表示装置を制御する制御部と、
操作者の操作に応じた操作信号を出力する操作部とを備え、
該編集部は、
該操作部からの操作信号に基づいて、該保存部に保存されている画像情報及び表示制御情報を編集し、編集した画像情報及び表示制御情報を該保存部に保存するよう構成されている、表示制御装置。
【請求項１２】
請求項１１に記載の表示制御装置において、
前記操作部からの操作信号に基づいて、前記編集部による画像情報及び表示制御情報の編集を禁止するロック制御と、前記編集部による画像情報及び表示制御情報の編集禁止を解除するロック解除制御とを行う編集ロック部を備え、
該編集ロック部は、前記編集部による画像情報及び表示制御情報の編集が禁止された状態で、前記編集部による画像情報及び表示制御情報の編集禁止を解除する操作が行われたとき、前記制御部を制御して、前記画像表示装置に表示される画像の輝度変化が生ずるよう該画像表示装置の制御を行わせる、表示制御装置。
【請求項１３】
請求項１１に記載の表示制御装置において、
前記操作部からの操作信号に基づいて、前記編集部による画像情報及び表示制御情報の編集を禁止するロック制御と、前記編集部による画像情報及び表示制御情報の編集禁止を解除するロック解除制御とを行う編集ロック部を備え、
該編集ロック部は、前記編集部による画像情報及び表示制御情報の編集が禁止された状態で、前記編集部による画像情報及び表示制御情報の編集禁止を解除する操作が行われたとき、前記制御部を制御して、前記画像表示装置に設けられた発光部での発光輝度の変化が生ずるよう該発光部の制御を行わせる、画像表示装置。
【請求項１４】
画像を表示する画像表示装置を制御する表示制御方法であって、
該画像表示装置のリモートコントローラに対する操作者の操作により、該画像を示す画像情報と、該画像の表示形態を決める表示制御情報とを編集する画像編集ステップと、
該リモートコントローラに対する操作者の操作により、該編集された画像情報が示す画像が、該編集された表示制御情報による表示形態で表示されるよう、該画像表示装置を制御する表示制御ステップと
を含む、表示制御方法。
【請求項１５】
請求項１４に記載の表示制御方法において、
前記リモートコントローラの操作による画像情報及び表示制御情報の編集がパスワードの設定により禁止されている状態で、該リモートコントローラにより該編集禁止を解除するためのパスワードの入力操作が行われたとき、前記画像表示装置を、表示される画像の輝度が変動するよう制御する輝度制御ステップを含む、表示制御方法。
【請求項１６】
請求項１４に記載の表示制御方法において、
前記リモートコントローラの操作による画像情報及び表示制御情報の編集がパスワードの設定により禁止されている状態で、該リモートコントローラにより該編集禁止を解除するためのパスワードの入力操作が行われたとき、前記画像表示装置に設けられている発光部を、該発光部の発光輝度が変動するよう制御する輝度制御ステップを含む、表示制御方法。
【請求項１７】
請求項１４から請求項１６のいずれか１項に記載の表示制御方法の各ステップをコンピュータにより実行させるための制御プログラム。
【請求項１８】
請求項１０あるいは請求項１７に記載の制御プログラムを格納した、コンピュータ読み取り可能な記録媒体。
【発明の詳細な説明】
【技術分野】
【０００１】
本発明は、画像表示機器、表示制御装置、表示制御方法、制御プログラム、およびコンピュータ読み取り可能な記録媒体に関し、特に、不特定多数の人に画像を提供する画像表示機器での表示内容（コンテンツ）の編集に関するものである。
【背景技術】
【０００２】
近年、電車の中、店頭、スーパーの店内、コンビニのレジカウンターなどの広告表示に液晶パネルを用いた電子機器が普及してきている。このような広告の電子化により、動画や動きのある画像を消費現場でリアルタイムに消費者に提供することが可能となり、消費者の購買意欲を高めることができると期待されている。
【０００３】
例えば、特許文献１には、広告主から指示があったときに広告情報を表示するよう構成した情報表示装置（広告システム）が開示されている。
【０００４】
図１１は、特許文献１に開示の広告システム１の構成を示すブロック図である。
【０００５】
この特許文献１に開示の広告システム１は、広告を表す広告情報（以下「広告データ」という）を表示するシステムであり、広告管理サーバ１０、リモートコントロール装置（以下、リモコン装置という。）２０および広告表示ディスプレイ３０を含んで構成されている。
【０００６】
広告管理サーバ１０は、たとえば広告代理店などに設置され、広告データを記憶し、広告表示ディスプレイ３０への広告データの表示を制御するサーバである。
【０００７】
端末部であるリモコン装置２０は、各広告主に提供され、広告主が広告データを登録するための操作および広告の表示を要求するための操作を行う装置である。
【０００８】
表示部である広告表示ディスプレイ３０は、たとえば駅前、ビルの屋上、あるいは各広告主の店の前などに設置される。
【０００９】
この広告システム１では、リモコン装置２０は、広告表示を要求する要求ボタンが操作されると、内部のメモリからリモコンＩＤを読み出し、選択された広告表示ディスプレイ３０に読み出したリモコンＩＤを送信する。広告表示ディスプレイ３０は、内部のメモリからディスプレイＩＤを読み出し、読み出したディスプレイＩＤと、受信したリモコンＩＤとを広告管理サーバ１０に送信する。広告管理サーバ１０は、受信したリモコンＩＤに対応する権利度数が０でないとき、その権利度数を１減算する。そして、受信したリモコンＩＤに対応する広告データをその記憶部から読み出し、読み出した広告データを、受信したディスプレイＩＤの広告表示ディスプレイ３０に送信する。広告表示ディスプレイ３０は、広告管理サーバ１０から受信した広告データを表示する。
【００１０】
これにより、広告主から指示があったときに広告情報を特定の広告表示ディスプレイに表示させることができる。
【００１１】
また、特許文献２には、情報表示装置を、その起動時に、内部情報として格納した広告宣伝情報を表示するよう構成することで、情報表示装置の製造者等が広告宣伝情報の提供により得た広告宣伝料を情報表示装置の生産コストに充ててその販売価格（コスト）を抑えるようにすることが開示されている。
【００１２】
図１２は、特許文献２に開示の情報表示装置の概略の構成を示すブロック図である。
【００１３】
この情報表示装置２１は、情報表示手段２２、情報記録再生装置２３、制御部２４、ＴＶチューナー２５及び操作部２６を備えている。
【００１４】
ここで、情報表示手段２２は画像情報等の情報を表示するものであり、例えば液晶パネル等が用いられる。情報記録再生装置２３は画像情報や音声情報等の記録再生を行うものであり、例えばハードディスクドライブ等が用いられる。制御部２４は、情報表示装置２１を構成する各部を制御するものであり、例えば中央処理装置（ＣＰＵ）により実現される。ＴＶチューナー２５は、テレビの放送信号を受信するものである。操作部２６はユーザが情報表示装置２１を操作するものであり、例えば、キーボード、ボタン、レバー等が用いられる。
【００１５】
このような情報表示装置２１では、情報記録再生装置２３には、内部情報として予め広告宣伝情報が記録されており、広告宣伝情報が情報表示装置２１の起動時に自動的に情報表示手段２２に表示されるように制御部２４により制御される。
【００１６】
つまり、ユーザが操作部２６により情報表示装置２１を起動すると、制御部２４は情報記録再生装置２３から広告宣伝情報を読み出し、情報表示手段２２に表示データとして送り出すことにより、外部から取得した放送情報２７の一部に自動的に広告宣伝情報が表示される。
【００１７】
このように特許文献２に開示の情報表示装置２１では、情報表示装置２１を情報提供媒体として用いることにより得られる利益を情報表示装置の販売価格に反映させることにより、情報表示装置の販売価格を低減することができる。
【先行技術文献】
【特許文献】
【００１８】
【特許文献１】特開２０１０−２８７０７２号公報
【特許文献２】特許４７２２３１１号公報
【発明の概要】
【発明が解決しようとする課題】
【００１９】
以上のように、特許文献１および２の開示の情報表示装置では、主に決められたコンテンツ（表示すべき画像情報）を如何にして表示するかというものであり、コンテンツに対する表示機器での編集は考えられておらず、例えば自分のお店の商品広告をそのお店の状況によりリアルタイムに変更するという状況は考えられていない。
【００２０】
より具体的な例をあげると、八百屋で本日のセール品である大根の売れ行きが芳しくない場合、価格を更に１割引にしたいとすると、即時対応するにはその場でコンテンツ内の価格を変更できることが望ましく、またこのコンテンツ編集を行う入力装置は、お客様が勝手にお店の意図としない表示に編集しないよう（例えば、上記大根の価格を９割引にするなど）、無線化して別途管理できるようにすることがより望ましく、またその無線化された入力装置（リモコン）によるコンテンツ編集には簡単なパスワードでロックをかけることで即時編集といった利便性を失うことなく更に安全性上げることが期待できる。
【００２１】
ところが、リモコンによるパスワード入力を認めてしまうと、今度は同じリモコンを持った者が表示機器の傍でこっそりと他者に気づかれずに何度もパスワード入力を行うことが容易となってしまい、それによりパスワード解析が行われる可能性が出てくる。
【００２２】
本発明は、上記のような問題点を解決するためになされたものであり、リモコン操作など簡易な操作により、表示する画像（コンテンツ）の内容を編集可能とした画像表示機器及びこのような画像表示機器としてコンピュータを動作させることができる制御プログラムを得ること、さらに、画像表示装置に表示する画像をリモコン操作など簡易な操作により編集可能とする、半導体モジュールとしての表示制御装置、表示制御方法、及び制御プログラム、並びに、上記制御プログラムを記録したコンピュータ読み取り可能な記録媒体を得ることを目的とする。
【００２３】
また、本発明は、画像表示機器に表示されているコンテンツの編集禁止（編集ロック）を解除するためのパスワードの入力操作が行われていることを周りの人に知らせることができ、これにより画像表示機器の表示内容を勝手に変更しようとする悪意ある第３者による不当行為を抑止することができる画像表示機器及びこのような画像表示機器としてコンピュータを動作させることができる制御プログラムを得ること、さらに画像表示装置の表示内容を勝手に変更しようとする悪意ある第３者による不当行為を抑止することができる、半導体モジュールとしての表示制御装置、表示制御方法、及び制御プログラム、並びに、このような制御プログラムを記録したコンピュータ読み取り可能な記録媒体を得ることを目的とする。
【課題を解決するための手段】
【００２４】
本発明に係る画像表示機器は、画像を表示する表示部を備えた画像表示機器であって、該画像を表す画像情報と、該画像の表示形態を決める表示制御情報とを保存する保存部と、該保存部に保存されている画像情報及び表示制御情報を編集する編集部と、該保存部に保存されている画像情報及び表示制御情報に基づいて、決められた表示形態で該画像が表示されるよう該表示部を制御する制御部と、操作者の操作に応じた操作信号を出力する操作部とを備え、該編集部は、該操作部からの操作信号に基づいて、該保存部に保存されている画像情報及び表示制御情報を編集し、編集した画像情報及び表示制御情報を該保存部に保存するよう構成されており、そのことにより上記目的が達成される。
【００２５】
本発明は、上記画像表示機器において、前記操作部は、前記操作者の操作に応じたリモコン操作信号を無線信号として送信する無線入力装置と、該無線入力装置からの無線信号を受信する無線受信部とを有し、受信した無線信号を前記操作信号として前記編集部に出力するものであることが好ましい。
【００２６】
本発明は、上記画像表示機器において、前記操作部は、１以上の操作ボタンを含む、前記操作者による該操作ボタンの操作に応じたボタン操作信号を出力するボタン操作部を有し、該ボタン操作信号を前記操作信号として前記編集部に出力するものであることが好ましい。
【００２７】
本発明は、上記画像表示機器において、前記操作部は、キーボードと接続される接続端子を有し、該接続端子に接続されたキーボードの操作に応じたキーボード操作信号を前記操作信号として前記編集部に出力するものであることが好ましい。
【００２８】
本発明は、上記画像表示機器において、前記操作部は、輝度を調整する操作により輝度指令信号を出力するよう構成されており、前記制御部は、前記操作部からの輝度指令信号に基づいて、前記表示部に表示される画像の輝度を制御する輝度制御部を有することが好ましい。
【００２９】
本発明は、上記画像表示機器において、光を発する発光部を備え、前記操作部は、輝度を調整する操作により輝度指令信号を出力するよう構成されており、前記制御部は、前記操作部からの輝度指令信号に基づいて、該発光部での発光輝度を制御する発光制御部を有することが好ましい。
【００３０】
本発明は、上記画像表示機器において、前記操作部からの操作信号に基づいて、前記編集部による画像情報及び表示制御情報の編集を禁止するロック制御と、前記編集部による画像情報及び表示制御情報の編集禁止を解除するロック解除制御とを行う編集ロック部を備えていることが好ましい。
【００３１】
本発明は、上記画像表示機器において、前記操作部からの操作信号に基づいて、前記編集部による画像情報及び表示制御情報の編集を禁止するロック制御と、前記編集部による画像情報及び表示制御情報の編集禁止を解除するロック解除制御とを行う編集ロック部を備え、該編集ロック部は、前記編集部による画像情報及び表示制御情報の編集が禁止された状態で、前記編集部による画像情報及び表示制御情報の編集禁止を解除する操作が行われたとき、前記制御部を制御して、前記輝度制御部に、前記表示部に表示される画像の輝度変化が生ずるよう該表示部の制御を行わせることが好ましい。
【００３２】
本発明は、上記画像表示機器において、前記操作部からの操作信号に基づいて、前記編集部による画像情報及び表示制御情報の編集を禁止するロック制御と、前記編集部による画像情報及び表示制御情報の編集禁止を解除するロック解除制御とを行う編集ロック部を備え、該編集ロック部は、前記編集部による画像情報及び表示制御情報の編集が禁止された状態で、前記編集部による画像情報及び表示制御情報の編集禁止を解除する操作が行われたとき、前記制御部を制御して、前記発光制御部に、前記発光部での発光輝度の変化が生ずるよう該発光部の制御を行わせることが好ましい。
【００３３】
本発明に係る制御プログラムは、上述した本発明に係る画像表示機器を動作させるための制御プログラムであって、コンピュータを、該画像表示機器を構成する各部として機能させるための制御プログラムであり、そのことにより上記目的が達成される。
【００３４】
本発明に係る表示制御装置は、画像を表示する画像表示装置を制御する半導体モジュールとして構成された表示制御装置であって、該画像を示す画像情報と、該画像の表示形態を決める表示制御情報とを保存する保存部と、該保存部に保存されている画像情報及び表示制御情報を編集する編集部と、該保存部に保存されている画像情報及び表示制御情報に基づいて、決められた表示形態で該画像が表示されるよう該画像表示装置を制御する制御部と、操作者の操作に応じた操作信号を出力する操作部とを備え、該編集部は、該操作部からの操作信号に基づいて、該保存部に保存されている画像情報及び表示制御情報を編集し、編集した画像情報及び表示制御情報を該保存部に保存するよう構成されており、そのことにより上記目的が達成される。
【００３５】
本発明は、上記表示制御装置において、前記操作部からの操作信号に基づいて、前記編集部による画像情報及び表示制御情報の編集を禁止するロック制御と、前記編集部による画像情報及び表示制御情報の編集禁止を解除するロック解除制御とを行う編集ロック部を備え、該編集ロック部は、前記編集部による画像情報及び表示制御情報の編集が禁止された状態で、前記編集部による画像情報及び表示制御情報の編集禁止を解除する操作が行われたとき、前記制御部を制御して、前記画像表示装置に表示される画像の輝度変化が生ずるよう該画像表示装置の制御を行わせることが好ましい。
【００３６】
本発明は、上記表示制御装置において、前記操作部からの操作信号に基づいて、前記編集部による画像情報及び表示制御情報の編集を禁止するロック制御と、前記編集部による画像情報及び表示制御情報の編集禁止を解除するロック解除制御とを行う編集ロック部を備え、該編集ロック部は、前記編集部による画像情報及び表示制御情報の編集が禁止された状態で、前記編集部による画像情報及び表示制御情報の編集禁止を解除する操作が行われたとき、前記制御部を制御して、前記画像表示装置に設けられた発光部での発光輝度の変化が生ずるよう該発光部の制御を行わせることが好ましい。
【００３７】
本発明に係る表示制御方法は、画像を表示する画像表示装置を制御する表示制御方法であって、該画像表示装置のリモートコントローラに対する操作者の操作により、該画像を示す画像情報と、該画像の表示形態を決める表示制御情報とを編集する画像編集ステップと、該リモートコントローラに対する操作者の操作により、該編集された画像情報が示す画像が、該編集された表示制御情報による表示形態で表示されるよう、該画像表示装置を制御する表示制御ステップとを含むものであり、そのことにより上記目的が達成される。
【００３８】
本発明は、上記表示制御方法において、前記リモートコントローラの操作による画像情報及び表示制御情報の編集がパスワードの設定により禁止されている状態で、該リモートコントローラにより該編集禁止を解除するためのパスワードの入力操作が行われたとき、前記画像表示装置を、表示される画像の輝度が変動するよう制御する輝度制御ステップを含むことが好ましい。
【００３９】
本発明は、上記表示制御方法において、前記リモートコントローラの操作による画像情報及び表示制御情報の編集がパスワードの設定により禁止されている状態で、該リモートコントローラにより該編集禁止を解除するためのパスワードの入力操作が行われたとき、前記画像表示装置に設けられている発光部を、該発光部の発光輝度が変動するよう制御する輝度制御ステップを含むことが好ましい。
【００４０】
本発明に係る制御プログラムは、上述した本発明に係る表示制御方法の各ステップをコンピュータにより実行させるための制御プログラムであり、そのことにより上記目的が達成される。
【００４１】
本発明に係るコンピュータ読み取り可能な記録媒体は、上述した本発明に係る制御プログラムを格納したものであり、そのことにより上記目的が達成される。
【００４２】
次に作用について説明する。
【００４３】
本発明においては、画像を表示する表示部と、操作に応じた操作信号を出力する操作部とを有し、画像を、表示制御情報が示す表示形態で表示する画像表示機器において、該操作部からの操作信号により画像及び表示制御情報を編集する編集部を備えたので、画像表示機器に電子広告として表示する画像（コンテンツ）を、機器本体を操作するためのリモコンなどの操作部により簡単にかつリアルタイムで変更することが可能となる。
【００４４】
このため、商店など消費現場で見本として画像表示された商品の電子広告の内容、例えば、表示する商品の種類や価格などを、商品の販売状況に合わせて更新して、消費者のユーズに合わせたものとできる。
【００４５】
また、本発明においては、操作部からの操作信号に基づいて、編集部による画像情報及び表示制御情報の編集を禁止するロック制御と、編集部による画像情報及び表示制御情報の編集禁止を解除するロック解除制御とを行う編集ロック部を備えているので、パスワードを用いて、ロック制御とロック解除制御とを行うことにより、画像情報及び表示制御情報の編集操作の利便性を損なうことなく、これらの情報を安易に編集することができないようにすることができ、その結果、表示コンテンツの安全性及び編集の利便性の高い画像表示機器を得ることができる。
【００４６】
しかも、画像情報及び表示制御情報の編集が禁止された編集ロック状態で、リモコンによるパスワードの入力操作などの編集ロック状態を解除する操作が行われたときには、表示部の表示輝度あるいは画像表示機器に設けられている発光部の発光輝度を変動させて、周りの人に編集ロック状態でパスワードの入力操作が行われていることを知らせるようにしているので、警報装置などの追加の機器を用いることなく、パスワードを知らない悪意ある第３者がリモコンの操作によりパスワードの入力を繰り返してパスワードを解析しようとする行為を抑止することができる。
【００４７】
つまり、電子広告として表示されている画像（コンテンツ）を勝手に編集しようとする悪意ある第３者のパスワード入力に対して生ずる、自分のしている悪行に連動したかつ周りの人からの注目を浴びる表示輝度や発光部の発光輝度の変動は、心理的に第３者の悪意ある行為を抑圧する効果があり、第３者の悪意ある行為を抑止することができ、また、所有者（店主などの広告を編集する権限のある者）が自分の意図しない所で、画像表示機器の表示輝度や発光部の輝度の変動を認識したときには、悪意を持って操作を行っている第３者に直接注意を促す行動を取ることもできるようになり、より再犯を防止することが可能となる。
【発明の効果】
【００４８】
以上のように本発明によれば、リモコン操作など簡易な操作により、表示する画像（コンテンツ）の内容を編集可能とした画像表示機器及びこのような画像表示機器としてコンピュータを動作させることができる制御プログラムを実現し、さらに、画像表示装置に表示する画像をリモコン操作など簡易な操作により編集可能とする、半導体モジュールとしての表示制御装置、表示制御方法、及び制御プログラム、並びに、このような制御プログラムを記録したコンピュータ読み取り可能なプログラム記録媒体を実現することができる。
【００４９】
また、本発明によれば、画像表示機器に表示されているコンテンツの編集禁止（編集ロック）を解除するためのパスワードの入力操作が行われていることを周りの人に知らせることができ、これにより画像表示機器の表示内容を勝手に変更しようとする悪意ある第３者による不当行為を抑止することができる画像表示機器及びこのような画像表示機器としてコンピュータを動作させることができる制御プログラムを実現し、さらに画像表示装置に表示する画像をリモコン操作などの簡単な操作により編集可能とする、半導体モジュールとしての表示制御装置、表示制御方法、及び制御プログラム、並びに、このような制御プログラムを記録したコンピュータ読み取り可能な記録媒体を実現することができる。
【図面の簡単な説明】
【００５０】
【図１】図１は、本発明の実施形態１による画像表示機器を説明するブロック図であり、この画像表示機器の構成を示している。
【図２】図２は、本発明の実施形態１による画像表示機器を説明する図であり、この画像表示機器の外観を示している。
【図３】図３は、本発明の実施形態２による画像表示機器を説明するブロック図であり、この画像表示機器の構成を示している。
【図４】図４は、本発明の実施形態３による画像表示機器を説明するブロック図であり、この画像表示機器の構成を示している。
【図５】図５は、本発明の実施形態３による画像表示機器を説明する図であり、この画像表示機器の外観を示している。
【図６】図６は、本発明の実施形態４による画像表示機器を説明するブロック図であり、この画像表示機器の構成を示している。
【図７】図７は、本発明の実施形態４による画像表示機器を説明する図であり、この画像表示機器の外観を示している。
【図８】図８は、本発明の実施形態５による画像表示機器を説明するブロック図であり、この画像表示機器の構成を示している。
【図９】図９は、本発明の実施形態５による画像表示機器を説明する図であり、この画像表示機器の外観を示している。
【図１０】図１０は、本発明の実施形態６による画像表示機器を説明するブロック図であり、この画像表示機器の構成を示している。
【図１１】図１１は、特許文献１に開示の広告システムの構成を示すブロック図である。
【図１２】図１２は、特許文献２に開示の情報表示装置の概略の構成を示すブロック図である。
【発明を実施するための形態】
【００５１】
以下、本発明の実施形態について説明する。
（実施形態１）
図１及び図２は、本発明の実施形態１による画像表示機器を説明する図であり、図１はこの画像表示機器の構成を示すブロック図であり、図２はこの画像表示機器の外観を示す図である。
【００５２】
この実施形態１の画像表示機器２０１ａは、電子広告を表示する電子機器として用いられるものであり、機器本体２０１と、該機器本体２０１に対する操作を行うための無線入力装置１００とを有している。
【００５３】
この画像表示機器２０１ａの無線入力装置１００は、操作者の入力操作に応じたリモコン操作信号を無線信号（例えば、赤外線信号）として送信するリモートコントローラ（以下、リモコンという。）である。
【００５４】
また、機器本体２０１は、画像を表示する表示部７００を備え、電子広告を表す広告情報を画像情報として提供するものである。この機器本体２０１は、上記表示部７００に出力する画像情報Ｖｄと、この画像情報Ｖｄが示す画像の表示形態を設定する表示制御情報Ｃｄとを保存する保存部５００と、この保存部５００に保存されている画像情報Ｖｄ及び表示制御情報Ｃｄを編集する編集部４００と、上記保存部５００に保存されている画像情報Ｖｄを、この画像情報Ｖｄが示す画像が、該表示制御情報Ｃｄにより設定された表示形態で表示されるよう表示信号Ｄｄに変換して該表示部７００へ供給する制御部６００と、操作者のリモコン操作に応じた操作信号Ｅｏｐ、Ｃｏｐを出力する入力部３０１とを備えている。
【００５５】
また、入力部３０１は、上記リモコン１００からの無線信号Ｒｓを受信する無線受信部３００ａと、キーボードを接続するためのキーボード端子３００ｂとを有しており、このキーボード端子３００ｂにキーボードを接続することにより、リモコン操作とは別に、キーボード操作により操作信号を発生させることができる。また、入力部３０１は、無線受信部３００ａで受信した無線信号Ｒｓあるいはキーボード端子３００ｂからのキーボード信号を処理して、上記操作信号Ｅｏｐ、Ｃｏｐを出力する入力処理部３００を有している。さらに機器本体２０１は、外部記録媒体（例えば、ＵＳＢメモリなど）を装着する媒体装着部２１１を有しており、この媒体装着部２１１は、装着された外部の記録媒体を駆動して、この記録媒体にテンプレートデータＴｄとして格納されている画像情報Ｖｄや表示制御情報Ｃｄを保存部５００あるいは制御部６００に供給するよう構成されている。
【００５６】
ここで、操作信号Ｅｏｐは、操作者による表示コンテンツの編集を行うための編集操作信号であり、操作信号Ｃｏｐは、編集操作信号以外の、画像表示機器の操作のための入力操作信号である。
【００５７】
上記編集部４００は、入力処理部３００からの編集操作信号Ｅｏｐに基づいて、上記保存部５００に保存されている画像情報Ｖｄ及び表示制御情報Ｃｄを編集し、編集した画像情報Ｖｄ及び編集した表示制御情報Ｃｄを保存部５００に保存するよう構成されている。上記制御部６００は、入力処理部３００からの入力操作信号Ｃｏｐに基づいて、保存部５００に格納されている画像情報Ｖｄを表示させたり、外部記録媒体に記録されている画像情報Ｔｄが保存部５００に読み込まれるよう保存部５００を制御したりする構成となっている。
【００５８】
なお、入力部３０１、編集部４００、保存部５００、制御部６００、及び媒体装着部２１１は、半導体モジュールとして実装することで、表示部７００に対する表示制御コントローラ（表示制御装置）を実現することができる。
【００５９】
図２は、この実施形態１の画像表示機器２０１ａの外観を示す図であり、図２では、一例として、この画像表示機器２０１ａの機器本体２０１に搭載されている表示部７００の表示面７０１に、広告情報として３つの物体ＯＢ１〜ＯＢ３を含む画像（コンテンツ）が表示されている状態を示している。
【００６０】
これらの物体は、保存部５００にテンプレートとして格納されている複数の物体の中から操作者がリモコン１００による編集操作により選択したものである。
【００６１】
ここでは、例えば、画像表示機器２０１ａは、プラモデル店で恐竜のプラモデルの電子広告を提供するのに用いられており、店主（操作者）がリモコン１００を用いて、人気のある恐竜のプラモデルを電子広告として掲示したものである。
【００６２】
なお、このプラモデル店で販売している各プラモデルの見本としての画像（テンプレート）のデータは、例えば、プラモデルの製造メーカなどから、ＵＳＢメモリなどの外部記録媒体（図示せず）に格納して提供されたものであり、この画像表示機器２０１ａに設けられている媒体装着部２１１を利用して、外部記録媒体から保存部５００に読み出すことが可能となっている。なお、この画像表示機器２０１ａでは、外部記録媒体に格納されている画像情報を直接表示部７００で表示させることもできる。
【００６３】
また、各物体の表示形態は、物体をそのサイズを大きくしたり小さくしたりして表示させる形態、物体を左右あるいは上下に揺さぶるように表示させる形態、あるいは物体を回転させながら表示させる形態などであるが、電子広告を表示する場合の画像の表示形態は、これらの表示形態に限らず、複数の物体を含む画像を表示する場合は、１つの物体の周りを他の物体が回転するよう表示させたり、さらには、複数の物体により１つの動画シーンが構成されるよう各物体を動かして表示させたりすることも可能である。これらの表示形態の設定は、リモコン操作により表示制御信号Ｃｄを編集することで行うことができる。
【００６４】
次に動作について説明する。
【００６５】
このような構成の実施形態１の画像表示機器２０１ａでは、保存部５００に保存している画像情報Ｖｄ及び表示制御情報Ｃｄの編集により、各店で販売している商品の宣伝のための電子広告を店毎の販売状況に合わせてリアルタイムで変更することができる。
【００６６】
具体的には、まず、操作者（例えば、プラモデル店の店主）は、プラモデルの製造メーカからＵＳＢメモリなどの外部記憶媒体で提供される各プラモデルの見本としての画像（テンプレート）のデータＴｄをこの画像表示機器２０１ａの機器本体２０１に読み込む。
【００６７】
つまり、操作者は、ＵＳＢメモリ（図示せず）を機器本体２０１の媒体装着部（ＵＳＢ接続端子）２１１に装着し、ＵＳＢメモリ（図示せず）からテンプレートデータＴｄが保存部５００に読み込まれるようリモコン１００を操作する。これにより、リモコン１００から無線信号Ｒｓが機器本端２０１に送信され、機器本体２０１の無線受信部３００ａで受信された無線信号Ｒｓは入力処理部３００で処理されて入力操作信号Ｃｏｐとして制御部６００に供給される。
【００６８】
制御部６００は、入力操作信号Ｃｏｐが入力されると、保存部５００を、保存部５００が媒体装着部２１１に装着されたＵＳＢメモリからテンプレートデータＴｄを読み込んで格納するよう制御信号Ｃｓにより制御する。
【００６９】
このように保存部５００にテンプレートデータＴが保存されると、編集部４００では、保存部５００にテンプレートデータとして保存された画像情報Ｖｄ及び表示制御情報Ｃｄを用いて、宣伝広告として表示させる画像（コンテンツ）の編集が可能となる。
【００７０】
例えば、操作者がリモコン１００で編集操作を行うと、リモコン１００から編集操作に対応する無線信号Ｒｓが機器本体２０１に送信され、機器本体２０１の無線受信部３００ａで受信された無線信号Ｒｓは、入力処理部３００により処理されて編集操作信号Ｅｏｐとして編集部４００に供給される。編集部４００では、リモコン操作に対応する編集操作信号Ｅｏｐにより、保存部５００にテンプレートとして保存されている、各物体の画像情報Ｖｄ及び表示制御情報Ｃｄを用いた編集が行われることとなる。
【００７１】
具体的には、操作者がリモコン１００で物体のテンプレートを表示させるための操作を行うと、入力部３０１からは、この操作に対応した入力操作信号Ｃｏｐが制御部６００に供給される。これにより、制御部６００が、保存部５００にテンプレートとして保存されている各物体の画像情報Ｖｄを表示部７００に供給すると、表示部７００の表示面７０１には、各物体の選択のための画面が表示される。
【００７２】
操作者は、表示された複数のコンテンツ（物体）の中から必要なコンテンツ（物体）をリモコン操作により選択し、さらに、各コンテンツのレイアウトを決定して宣伝広告の画像の全体的な構成を決める。
【００７３】
その後、操作者がリモコンで表示形態のテンプレートを表示させるための操作を行うと、保存部５００に表示制御情報Ｃｄとして保存されている表示形態の候補が表示される。この状態で、操作者がリモコン操作により、選択した物体の各々に対して表示形態を設定することにより、各物体をどのような表示形態で表示するかを示す表示制御情報Ｃｄが物体毎に決定される。
【００７４】
なお、表示形態のデフォルト設定を、単に選択された物体を表示領域における決められた位置に表示するものとすることで、操作者は、特別な表示形態、例えば左右上下に揺らしたり、回転させたりといった表示形態で表示させたい物体についてのみ、表示形態の設定を行えばよく、操作者の編集作業を簡略化できる。
【００７５】
宣伝広告の画像を編集する作業が終わると、操作者が、編集したコンテンツの画像を宣伝広告として表示させるリモコン操作を行うことで、入力処理部３００からはこのリモコン操作に対応する入力操作信号Ｃｏｐが制御部６００に出力され、これにより、制御部６００は、保存部５００を、編集された画像情報Ｖｄ及び表示制御情報Ｃｄを保存するよう制御し、表示部７００に、保存された編集済みの画像の画像情報Ｖｄが編集済みの表示制御信号Ｃｄが示す表示形態で表示されるよう表示情報Ｄｄを供給する。
【００７６】
これにより、表示部７００の表示面７０１には、例えば、図２に示すような宣伝広告の画像が表示される。ここでは、第１〜第３の物体として、四足歩行の恐竜ＯＢ１、二足歩行の恐竜ＯＢ２、鳥類の恐竜ＯＢ３が選択され、３つの恐竜のうちで最も販売したいものほど、大きく表示するように設定されている。また、図２では示していないが、各物体には、サービス価格などの表示が含まれており、この価格は、表示形態を示す表示制御情報Ｃｄの編集により変更可能となっている。
【００７７】
このような宣伝広告を掲示した結果、四足歩行の恐竜のプラモデルの販売が促進され、品薄状態となった場合は、本実施形態の画像表示機器２０１ａでは、プラモデル店の店主は、例えば、宣伝広告の画像を、四足歩行の恐竜ＯＢ１の価格をサービス価格から通常価格に変更した画像、あるいは四足歩行の恐竜ＯＢ１を宣伝広告から除去した、二足歩行の恐竜ＯＢ２と鳥類の恐竜ＯＢ３のみを含む宣伝広告の画像に編集し直すことができる。これにより、四足歩行の恐竜のプラモデルが再入荷するまでの間の品薄状態を乗り切ることも可能となる。
【００７８】
このように本実施形態１では、画像を表示する表示部７００と、操作に応じた操作信号（無線信号）Ｒｓを出力する操作部（リモコン）１００とを有し、画像情報Ｃｄが示す画像を、表示制御情報Ｃｄが示す表示形態で表示する画像表示機器２０１ａにおいて、該操作部からの無線信号Ｒｓを受信して得られる編集操作信号Ｅｏｐにより画像及び表示制御情報を編集する編集部４００を備えたので、画像表示機器２０１ａに電子広告として表示する画像（コンテンツ）を、機器本体２０１を操作するためのリモコンなどの操作部１００により簡単にかつリアルタイムで変更することが可能となる。
【００７９】
このため、商店など消費現場で見本として画像表示された商品の電子広告の内容、例えば、表示する商品の種類や価格などを、商品の販売状況に合わせて更新して、消費者のユーズに合わせたものとできる。
【００８０】
例えば、商店（例えば、プラモデル店）の店主が流行や在庫の状況を見て、商品（例えば、恐竜のプラモデル）の宣伝広告として画像表示機器２０１ａに表示する画像を編集することで、それぞれのプラモデル店でのプラモデルの販売状況に応じてプラモデルの宣伝広告の内容を変更することができ、商品の広告を簡単なリモコン操作によりリアルタイムでそのプラモデル店の状況により変更することができ、宣伝広告による商品の販売促進の効果を高めることができる。
【００８１】
さらには、本実施形態による画像表示機器２０１ａでは、ネットワークを用いず、画像表示機器とこれを操作するリモコンとによりコンテンツの編集及び表示を行うことができ、このため、ネットワーク管理に関わる機能を設ける必要がなく、これにより費用の節減が可能となり、より安価にすることができ、このような画像表示機器は、不特定多数の人に向けてのコンテンツを提供することが可能な画像表示機器の分野で有用なものである。
【００８２】
なお、上記実施形態１では、リモコンあるいはキーボードにより、画像表示機器に対する操作を行うものについて示しているが、画像表示機器に対する操作は、これに限定されるものではなく、例えば、該画像表示機器の機器本体の筐体の一部に、複数の操作ボタンを含むボタン操作部を設け、このボタン操作部でのボタン操作により上記画像表示機器に対する入力操作や、表示すべき画像の編集操作を行うようにしてもよい。
（実施形態２）
図３は、本発明の実施形態２による画像表示機器を説明するブロック図であり、この画像表示機器の構成を示している。
【００８３】
この画像表示機器２０２ａは、実施形態１による画像表示機器２０１ａと同様、電子広告を表示する電子機器として用いられるものであり、機器本体２０２と、該機器本体２０２に対する操作を行うための無線入力装置（リモコン）１００ａとを有している。
【００８４】
この実施形態２の画像表示機器２０２ａでは、機器本体２０２は、実施形態１の機器本体２０１における表示部７００の輝度を調整可能な構成としたものであり、具体的には、実施形態１の制御部６００及び表示部７００に代わる制御部６８０ａ及び表示部７００ａを備え、この制御部６８０ａからの表示輝度制御信号ＢＣｓに基づいて表示部７００ａを調整するようにしたものである。
【００８５】
つまり、制御部６８０ａは、上記実施形態１における制御部６００の機能に加えて、リモコンでの輝度を変更する操作に応じた入力操作信号Ｃｏｐに基づいて、輝度の変更を指令する輝度設定指令ＢＣｄを出力する機能を有する主制御部６００ａと、該輝度設定指令ＢＣｄに基づいて輝度調整のための表示輝度制御信号ＢＣｓを出力する輝度制御部８００とを備えたものである。
【００８６】
ここで、表示部７００ａは、輝度制御部８００からの表示輝度制御信号ＢＣｓに基づいて表示画像の輝度を調整するよう構成されており、リモコン１００ａは、実施形態１の画像表示機器におけるリモコン１００の機能に加えて、輝度指令信号を発生させる輝度調整のための操作が可能となっている。
【００８７】
なお、この実施形態２による画像表示機器２０２ａにおけるその他の構成は、実施形態１による画像表示機器２０１ａにおけるものと同一である。
【００８８】
このような構成の実施形態２による画像表示機器２０２ａでは、リモコン１００ａにより操作者が表示画像の輝度調整操作を行うと、リモコン１００ａからは輝度調整操作に対応する無線信号（輝度指令信号）Ｒｓが出力され、この無線信号Ｒｓが機器本体２０２の入力部３０１の無線受信部３００ａで受信されると、受信された無線信号Ｒｓは入力部３０１の入力処理部３００ａで処理されて、輝度調整のための入力操作信号Ｃｏｐとして制御部６８０ａに出力される。制御部６８０ａでは、主制御部６００ａがこの輝度調整のための入力操作信号Ｃｏｐに基づいて輝度設定指令ＢＣｄを輝度制御部８００に出力する。輝度制御部８００は、主制御部６００ａからの輝度設定指令ＢＣｄに基づいた表示輝度制御信号ＢＣｓにより表示部７００ａを、その表示画像の輝度がリモコン操作に応じた輝度となるよう制御する。
【００８９】
なお、実施形態２の画像表示機器２０２ａにおけるその他の動作は、実施形態１における画像表示機器２０１ａにおけるものと同一である。
【００９０】
このように、本実施形態２による画像表示機器２０２ａでは、制御部６８０ａを、上記実施形態１における制御部６００の機能に加えて、リモコンでの輝度を変更する操作に応じた入力操作信号Ｃｏｐに基づいて、輝度の変更を指令する輝度設定指令ＢＣｄを出力する機能を有する主制御部６００ａと、該輝度設定指令ＢＣｄに基づいて輝度調整のための表示輝度制御信号ＢＣｓを出力する輝度制御部８００とを有する構成とし、表示部７００ａを表示輝度制御信号ＢＣｓに応じて表示輝度を調整するよう構成したので、上記実施形態１の効果、つまり、画像表示機器に表示された商品の電子広告を簡単なリモコン操作によりリアルタイムでそのプラモデル店の状況に応じて変更することができるという効果に加えて、操作者はリモコン１００ａの操作により、表示部７００ａでの表示輝度を簡単に調整することができ、電子広告の表示を行う際の表示画面の明るさを適切なものとできる効果がある。
（実施形態３）
図４及び図５は、本発明の実施形態３による画像表示機器を説明する図であり、図４はこの画像表示機器の構成を示すブロック図であり、図５はこの画像表示機器の外観を示す図である。
【００９１】
この画像表示機器２０３ａは、実施形態１による画像表示機器２０１ａと同様、電子広告を表示する電子機器として用いられるものであり、機器本体２０３と、該機器本体２０３に対する操作を行うための無線入力装置（リモコン）１００ａとを有している。
【００９２】
この実施形態３の画像表示機器２０３ａでは、機器本体２０３は、実施形態１の機器本体２０１の構成に加えて、機器本体２０３に設けられた発光部１０００を備え、この発光部１０００の輝度を調整可能な構成としたものであり、実施形態１の制御部６００に代わる制御部６９０ｂを備え、この制御部６９０ｂからの発光輝度制御信号ＬＣｓに基づいて発光部１０００の発光輝度を調整するようにしたものである。
【００９３】
つまり、制御部６９０ｂは、上記実施形態１における制御部６００の機能に加えて、リモコンでの輝度変更操作に応じた入力操作信号Ｃｏｐに基づいて、発光部１０００の輝度の変更を指令する発光輝度設定指令ＬＣｄを出力する機能を有する主制御部６００ｂと、該発光輝度設定指令ＬＣｄに基づいて輝度調整のための発光輝度制御信号ＬＣｓを出力する発光制御部９００とを備えたものである。
【００９４】
ここで、発光部１０００は、機器本体２０３を構成する筐体の上端側部（図５参照）に取り付けられており、発光制御部９００からの発光輝度制御信号ＬＣｓに基づいて発光輝度が調整されるよう構成されており、リモコン１００ａは、実施形態１の画像表示機器におけるリモコン１００の機能に加えて、輝度指令信号を発生させる発光輝度の調整のための操作が可能となっている。
【００９５】
なお、この実施形態３による画像表示機器２０３ａにおけるその他の構成は、実施形態１による画像表示機器２０１ａにおけるものと同一である。
【００９６】
このような構成の実施形態３による画像表示機器２０３ａでは、リモコン１００ａにより操作者が発光部１０００の輝度調整のための操作を行うと、リモコン１００ａからは発光輝度調整操作に対応する無線信号（輝度指令信号）Ｒｓが出力され、この無線信号Ｒｓが機器本体２０３ａの入力部３０１の無線受信部３００ａで受信されると、受信された無線信号Ｒｓは入力部３０１の入力処理部３００ａで処理されて、発光輝度調整のための入力操作信号Ｃｏｐとして制御部６９０ｂに出力される。制御部６９０ｂでは、主制御部６００ｂがこの輝度調整のための入力操作信号Ｃｏｐに基づいて発光輝度設定指令ＬＣｄを発光制御部９００に出力する。発光制御部９００は、主制御部６００ｂからの発光輝度設定指令ＬＣｄに基づいた発光輝度制御信号ＬＣｓにより発光部１０００を、その発光輝度がリモコン操作に応じた輝度となるよう制御する。
【００９７】
なお、この実施形態３におけるその他の動作は、実施形態１における画像表示機器２０１におけるものと同一である。
【００９８】
このように、本実施形態３による画像表示機器２０３ａでは、制御部６９０ｂを、上記実施形態１における制御部６００の機能に加えて、リモコンでの発光輝度を変更する操作に応じた入力操作信号Ｃｏｐに基づいて、発光輝度の変更を指令する発光輝度設定指令ＬＣｄを出力する機能を有する主制御部６００ｂと、該発光輝度設定指令ＬＣｄに基づいて発光輝度調整のための発光輝度制御信号ＬＣｓを出力する発光制御部９００とを有する構成とし、発光部１０００の発光輝度を発光輝度制御信号ＬＣｓに応じて調整するようにしたので、上記実施形態１の効果、つまり、画像表示機器２０３に表示された商品の電子広告を簡単なリモコン操作によりリアルタイムでそのプラモデル店の状況に応じて変更することができるという効果に加えて、操作者はリモコン１００ａの操作により、発光部１０００での発光輝度を簡単に調整することができ、電子広告の表示を行う際の画像表示機器の周辺での明るさを適切なものとできる効果がある。
（実施形態４）
図６及び図７は、本発明の実施形態４による画像表示機器を説明する図であり、図６はこの画像表示機器の構成を示すブロック図であり、図７はこの画像表示機器の外観を示す図である。
【００９９】
この画像表示機器２０４ａは、実施形態２による画像表示機器２０２ａと同様、電子広告（コンテンツ）を表示する電子機器として用いられるものであり、機器本体２０４と、この機器本体２０４に対する操作を行うための無線入力装置（リモコン）１００ｃとを有している。
【０１００】
この実施形態４の画像表示機器２０４ａでは、機器本体２０４は、実施形態２の機器本体２０２の構成に加えて、入力部３０１がリモコン１００ｃからの無線信号Ｒｓを受信して出力する入力操作信号Ｃｏｐに応じて、リモコン１００ｃによる保存部５００に保持されているコンテンツ（つまり、画像情報Ｖｄ及び表示制御情報Ｃｄ）の編集操作を禁止する編集ロック状態と、リモコン１００ｃによる保存部５００に保持されているコンテンツの編集操作を許可する編集ロック解除状態とを切替える編集ロック部１１００を備えるとともに、実施形態２における制御部６８０ａに変わる制御部６８０ｃを備えたものである。
【０１０１】
ここで、編集ロック部１１００は、編集ロック状態では、制御部６８０ｃに対して編集警戒信号ＥＬｓを出力するよう構成されている。また、この制御部６８０ｃは、実施形態２の画像表示機器２０２ａにおける制御部６８０ａに代わるものであり、主制御部６００ｃと輝度制御部８００ｃとを有し、主制御部６００ｃは、上記実施形態１における制御部６００の機能に加えて、リモコンでの輝度を変更する操作に応じた入力操作信号Ｃｏｐに基づいて、輝度の変更を指令する表示輝度設定指令ＢＣｄを出力する機能と、編集ロック部１１００からの編集警戒信号ＥＬｓを受けている状態で、パスワードの入力に対応する入力操作信号Ｃｏｐが入力されたとき、警告制御指令ＥＣｄを出力する機能とを有している。さらに、輝度制御部８００ｃは、表示輝度設定指令ＢＣｄを受けたとき、表示部７００ａを表示輝度制御信号ＢＣｓにより、表示輝度設定指令ＢＣｄが示す輝度になるよう制御し、警告制御指令ＥＣｄを受けたとき、表示輝度制御信号ＢＣｓにより、表示部７００ａをその表示画像の輝度が高輝度と低輝度との間で変動するよう制御する構成となっている。
【０１０２】
なお、編集ロック部１１００は、編集ロック状態にて編集警戒信号ＥＬｓを出力し、編集ロック状態が解除されたときは、編集警戒信号ＥＬｓの出力を停止するものであり、従って、制御部６８０ｃは、編集ロック部１１００の編集ロック状態で、リモコン１００ｃの操作によりロックを解除するためにパスワードが入力された際には、パスワードの入力に連動して表示部７００ａの表示輝度を変動させ、正しいパスワードが入力された後は、パスワードの入力操作がなされても、表示部７００ａの表示輝度を変動させる動作は行わない。
【０１０３】
次に動作について説明する。
【０１０４】
このような画像表示機器２０４ａでは、操作者は、編集ロックを解除した状態で、リモコン１００ｃにより表示コンテンツの編集を行う。従って、編集ロックがかかっている状態では、パスワードを入力して編集ロック状態を解除する必要がある。
【０１０５】
具体的には、操作者は、リモコン１００ｃでパスワードの入力操作を行う。このとき、機器本体２０４では、リモコン１００ｃからの無線信号Ｒｓが入力部３０１の無線受信部３００ａで受信され、入力処理部３００からは、受信した無線信号Ｒｓに対応する入力操作信号Ｃｏｐが編集ロック部１１００及び制御部６８０ｃに出力される。
【０１０６】
入力操作信号Ｃｏｐが制御部６８０ｃの主制御部６００ｃに入力されると、主制御部６００ｃは、入力操作信号Ｃｏｐに基づいて、パスワードの入力状態が図７に示すように表示画面の片隅（上部右隅部）に表示されるよう表示部７００ａを制御する。
【０１０７】
また、編集ロック部１１００は、編集ロックがかかっている状態では編集警戒指令ＥＬｓを制御部６８０ｃに出力する。制御部６８０ｃの主制御部６００ｃは、編集警戒指令ＥＬｓが入力されている状態で、パスワードの入力操作に対応する入力操作信号Ｃｏｐが入力されると、輝度制御部８００ｃに警告制御指令ＥＣｄを出力する。輝度制御部８００ｃでは、入力される警告制御指令ＥＣｄに基づいて表示部７００ａの表示輝度が高輝度と低輝度の間で変化するよう表示輝度制御信号ＢＣｓにより表示部７００ａを制御する。
【０１０８】
つまり、主制御部６００ｃは、編集警戒指令ＥＬが入力されている警戒モードでは、入力部３０１から、リモコンでのパスワードの入力操作に対応する入力操作信号Ｃｏｐが入力される度に、警告制御指令ＥＣｄを輝度制御部８００ｃに出力し、輝度制御部８００ｃは、警告制御指令ＥＣｄが入力される度に、表示部７００ａをその表示輝度が高輝度と低輝度の間で変化するように表示輝度制御信号ＢＣｓにより制御する。要するに、編集ロック部１１００は、編集ロック状態で、リモコン１００ｃから編集ロック状態を解除する操作信号が入力されたとき、その入力信号に連動して制御部６８０ｃを制御して表示部７００ａの表示輝度を変更する。
【０１０９】
このように表示部７００ａの表示輝度が変動する動作は、編集ロック状態でパスワードの入力操作中は継続して行われ、編集ロック部１１００が正しいパスワードが入力されたことを検出して編集ロック状態が解除されたとき、編集ロック部１１００から制御部６８０ｃへの編集警戒指令ＥＬｓの出力が停止される。これにより、パスワード入力操作が行われても、主制御部６００ｃからは、警告制御指令ＥＣｄは出力されず、輝度制御部８００ｃによる表示部７００ａの表示輝度を変動させる動作は行われなくなる。
【０１１０】
その後は、リモコン操作による表示させる画像（コンテンツ）の編集が可能となる。
【０１１１】
つまり、実施形態１で説明したように、リモコン１００ｃでの編集操作により送信された無線信号Ｒｓが入力部３０１の無線受信部３００ａで受信されると、入力部３０１からは、編集操作信号Ｅｏｐが編集ロック部１１００を介して編集部４００に供給され、編集操作信号Ｅｏｐに応じて、保存部５００に保存されている画像の編集及び表示形態の設定が行われる。この編集操作により得られた画像（コンテンツ）の画像情報Ｖｄは、設定された表示形態を示す表示制御信号Ｃｄとともに保存部５００に格納される。
【０１１２】
その後、リモコン１００ｃにて、コンテンツを表示させる入力操作が行われると、リモコンからの無線信号Ｒｓを受信した入力部３０１からは、コンテンツを表示させる入力操作信号Ｃｏｐが制御部６８０ｃに出力され、制御部６８０ｃは、保存部５００に格納されている編集されたコンテンツが、設定された表示形態で表示されるよう、表示部７００ａに表示信号Ｄｄを出力する。
【０１１３】
これにより、図７に示すように、表示部７００ａの表示面７０１ａには、編集されたコンテンツ、例えば、３体の恐竜の画像である３つの物体ＯＢ１〜ＯＢ３を含むコンテンツが表示されることとなる。このとき、各物体は、設定されている表示形態で表示されることとなる。
【０１１４】
このように本発明の実施形態４による画像表示機器２０４ａでは、実施形態２の画像表示機器２０２ａにおいて、リモコン１００ｃによるコンテンツの編集操作を禁止する編集ロック状態と、リモコン１００ｃによるコンテンツの編集操作を許諾する編集ロック解除状態とを、リモコンからのパスワードの入力により切替える編集ロック部１１００を備えたので、比較的短いパスワード（例えば４桁程度のパスワード）を用いて、コンテンツの編集操作の利便性を損なうことなく、コンテンツを安易に編集することができないようにすることができ、その結果、コンテンツの安全性及び編集の利便性の高い画像表示機器を得ることができる。
【０１１５】
しかも、編集ロック状態で、リモコンによるパスワードの入力操作が行われたときには、表示部７００ａの表示輝度を変動させて、周りの人に編集ロック状態でパスワードの入力操作が行われていることを知らせるようにしたので、警報装置などの追加の機器を用いることなく、パスワードを知らない悪意ある第３者がリモコンの操作によりパスワードの入力を繰り返してパスワードを解析しようとする行為を抑止することができる。
【０１１６】
つまり、電子広告として表示されている画像（コンテンツ）を勝手に編集しようとする悪意ある第３者のパスワード入力に対して生ずる、自分のしている悪行に連動したかつ周りの人からの注目を浴びる表示輝度の変動は、心理的に第３者の悪意ある行為を抑圧する効果があり、第３者の悪意ある行為を抑止することができ、また、所有者（店主などの広告を編集する権限のある者）が自分の意図しない所で、画像表示機器の表示輝度の変動を認識したときには、悪意を持って操作を行っている第３者に直接注意を促す行動を取ることもできるようになり、より再犯を防止することが可能となる。
（実施形態５）
図８及び図９は、本発明の実施形態５による画像表示機器を説明する図であり、図８はこの画像表示機器の構成を示すブロック図であり、図９はこの画像表示機器の外観を示す図である。
【０１１７】
この実施形態５の画像表示機器２０５は、上記実施形態３による画像表示機器２０３ａ（図４及び図５）と同様、電子広告（コンテンツ）を表示する電子機器として用いられるものであり、機器本体２０５と、該機器本体２０５に対する操作を行うための無線入力装置（リモコン）１００ｃとを有している。
【０１１８】
この実施形態５の画像表示機器２０５ａでは、機器本体２０５は、実施形態３の機器本体２０３の構成に加えて、入力部３０１がリモコン１００ｃからの無線信号Ｒｓを受信して出力する入力操作信号Ｃｏｐに応じて、リモコン１００ｃによる保存部５００に保持されているコンテンツ（つまり、画像情報Ｖｄ及び表示制御情報Ｃｄ）の編集操作を禁止する編集ロック状態と、リモコン１００ｃによる保存部５００に保持されているコンテンツの編集操作を許可する編集ロック解除状態とを切替える編集ロック部１１００を備えるとともに、実施形態３における制御部６９０ｂに変わる制御部６９０ｄを備えたものである。
【０１１９】
ここで、編集ロック部１１００は、編集ロック状態では、制御部６９０ｄに対して編集警戒指令ＥＬｓを出力するよう構成されている。また、この制御部６９０ｄは、実施形態３の画像表示機器２０３ａにおける制御部６９０ｂに代わるものであり、主制御部６００ｄと発光制御部９００ｄとを有し、主制御部６００ｄは、上記実施形態１における制御部６００の機能に加えて、リモコンでの発光輝度を変更する操作に応じた入力操作信号Ｃｏｐに基づいて、発光輝度の変更を指令する発光輝度設定指令ＬＣｄを出力する機能と、編集ロック部１１００からの編集警戒信号ＥＬｓを受けている状態で、パスワードの入力に対応する入力操作信号Ｃｏｐが入力されたとき、警告制御指令ＥＣｄを出力する機能とを有している。さらに、発光制御部９００ｄは、発光輝度設定指令ＬＣｄを受けたとき、発光部１０００を発光輝度制御信号ＬＣｓにより、発光輝度設定指令ＬＣｄが示す発光輝度になるよう制御し、警告制御指令ＥＣｄを受けたとき、発光輝度制御信号ＬＣｓにより、発光部１０００をその発光輝度が高輝度と低輝度との間で変動するよう制御する構成となっている。
【０１２０】
なお、編集ロック部１１００は、編集ロック状態にて編集警戒信号ＥＬｓを出力し、編集ロック状態が解除されたときは、編集警戒信号ＥＬｓの出力を停止するものであり、従って、制御部６９０ｄは、編集ロック部１１００の編集ロック状態で、リモコン１００ｃの操作によりロックを解除するためにパスワードが入力された際には、パスワードの入力に連動して発光部１０００の表示輝度を変動させ、正しいパスワードが入力された後は、パスワードの入力操作がなされても、発光部１０００の発光輝度を変動させる動作は行わない。
【０１２１】
次に動作について説明する。
【０１２２】
このような画像表示機器２０５ａでは、操作者は、編集ロックを解除した状態で、リモコン１００ｃによりコンテンツの編集を行う。従って、編集ロックがかかっている状態では、パスワードを入力して編集ロック状態を解除する必要がある。
【０１２３】
具体的には、操作者は、リモコン１００ｃでパスワードの入力操作を行う。このとき、機器本体２０５では、リモコン１００ｃからの無線信号Ｒｓが入力部３０１の無線受信部３００ａで受信され、入力処理部３００からは、受信した無線信号Ｒｓに対応する入力操作信号Ｃｏｐが編集ロック部１１００及び制御部６９０ｄに出力される。
【０１２４】
入力操作信号Ｃｏｐが制御部６９０ｄの主制御部６００ｄに入力されると、主制御部６００ｄは、入力操作信号Ｃｏｐに基づいて、パスワードの入力状態が図９に示すように表示画面の片隅（上部右隅部）に表示されるよう表示部７００を制御する。
【０１２５】
また、編集ロック部１１００は、編集ロックがかかっている状態では編集警戒指令ＥＬｓを制御部６９０ｄに出力する。制御部６９０ｄの主制御部６００ｄは、編集警戒指令ＥＬｓが入力されている状態で、パスワードの入力操作に対応する入力操作信号Ｃｏｐが入力されると、発光制御部９００ｄに警告制御指令ＥＣｄを出力する。発光制御部９００ｄは、入力される警告制御指令ＥＣｄに基づいて発光部１０００の発光輝度が高輝度と低輝度の間で変化するよう発光輝度制御信号ＬＣｓにより発光部１０００を制御する。
【０１２６】
つまり、主制御部６００ｄは、編集警戒指令ＥＬが入力されている警戒モードでは、入力部３０１から、リモコンでのパスワードの入力操作に対応する入力操作信号Ｃｏｐが入力される度に、警告制御指令ＥＣｄを発光制御部９００ｄに出力し、発光制御部９００ｄは、警告制御指令ＥＣｄが入力される度に、発光部１０００をその発光輝度が高輝度と低輝度の間で変化するように発光輝度制御信号ＬＣｓにより制御する。要するに、編集ロック部１１００は、編集ロック状態で、リモコン１００ｃから編集ロック情報を解除する操作信号が入力されたとき、その入力信号に連動して制御部６９０ｄを制御して発光部１０００の表示輝度を変更する。
【０１２７】
このように発光部１０００の発光輝度が変動する動作は、編集ロック状態でパスワードの入力操作中は継続して行われ、編集ロック部１１００が正しいパスワードが入力されたことを検出して編集ロック状態が解除されたとき、編集ロック部１１００から制御部６９０ｄへの編集警戒指令ＥＬｓの出力が停止される。これにより、パスワード入力操作が行われても、主制御部６００ｄからは、警告制御指令ＥＣｄは出力されず、発光制御部９００ｄによる発光部１０００の発光輝度を変動させる動作は行われなくなる。
【０１２８】
その後は、リモコン操作による表示コンテンツの編集が可能となる。
【０１２９】
つまり、実施形態１で説明したように、リモコン１００ｃでの編集操作により送信された無線信号Ｒｓが入力部３０１の無線受信部３００ａで受信されると、入力部３０１からは、編集操作信号Ｅｏｐが編集ロック部１１００を介して編集部４００に供給され、編集操作信号Ｅｏｐに応じて、保存部５００に保存されているコンテンツの編集及び表示形態の設定が行われる。この編集操作により得られたコンテンツの画像情報Ｖｄは、設定された表示形態を示す表示制御信号Ｃｄとともに保存部５００に格納される。
【０１３０】
その後、リモコン１００ｃにて、コンテンツを表示させる入力操作が行われると、リモコンからの無線信号Ｒｓを受信した入力部３０１からは、コンテンツを表示させる入力操作信号Ｃｏｐが制御部６９０ｄに出力され、制御部６９０ｄは、保存部５００に格納されている編集されたコンテンツが、設定された表示形態で表示されるよう、表示部７００に表示信号Ｄｄを出力する。
【０１３１】
これにより、図９に示すように、表示部７００の表示面７０１には、編集された表示コンテンツ、例えば、３体の恐竜の画像である３つの物体ＯＢ１〜ＯＢ３を含むコンテンツが表示されることとなる。このとき、各物体は、設定されている表示形態で表示されることとなる。
【０１３２】
このように本発明の実施形態５による画像表示機器２０５ａでは、実施形態３の画像表示機器２０３ａにおいて、リモコン１００ｃによるコンテンツの編集操作を禁止する編集ロック状態と、リモコン１００ｃによるコンテンツの編集操作を許諾する編集ロック解除状態とを、リモコンからのパスワードの入力により切替える編集ロック部１１００を備えたので、４桁程度の比較的短いパスワードを用いて、コンテンツの編集操作の利便性を損なうことなく、コンテンツを安易に編集することができないようにすることができ、その結果、コンテンツの安全性及び編集の利便性の高い画像表示機器を得ることができる。
【０１３３】
しかも、編集ロック状態で、リモコンによるパスワードの入力操作が行われたときには、発光部１０００の発光輝度を変動させて、周りの人に編集ロック状態でパスワードの入力操作が行われていることを知らせるようにしたので、パスワードを知らない悪意ある第３者がリモコンの操作によりパスワードの入力を繰り返してパスワードを解析しようとする行為を抑制することができる。
【０１３４】
つまり、電子広告として表示されている画像（コンテンツ）を勝手に編集しようとする悪意ある第３者のパスワード入力に対して生ずる、自分のしている悪行に連動したかつ周りの人からの注目を浴びる発光部の発光輝度の変動は、心理的に第３者の悪意ある行為を抑圧する効果があり、第３者の悪意ある行為を抑止することができ、また、所有者（店主などの広告を編集する権限のある者）が自分の意図しない所で、画像表示機器に設けた発光部の輝度の変動を認識したときには、悪意を持って操作を行っている第３者に直接注意を促す行動を取ることもできるようになり、より再犯を防止することが可能となる。
【０１３５】
また、この実施形態５では、画像表示機器２０５ａの機器本体２０５の上端側部に発光部１０００を設け、この発光部での発光輝度を、編集ロック状態でパスワードの入力操作が行われている間は変動させるようにしているので、表示部７００の表示画面側だけでなく、発光部１０００の見える方向すべてに向けて、編集ロック状態でパスワードの入力操作が行われていることを周囲の人に知らせることができる。
（実施形態６）
さらに、上述した各実施形態による画像表示処理は、ハードウェアにより行うこともできるし、ソフトウェアにより行うこともでき、上記画像表示処理をソフトウェアによって行う場合には、画像表示処理を実現するための機能をプログラムに従ってＣＰＵ内に構築する。つまり、本発明の各実施形態の画像表示機器の機能はコンピュータにより実現することができる。このようなプログラムはコンピュータ読み取り可能な記録媒体に格納されている。
【０１３６】
以下、本発明の実施形態６として、上述した本発明の実施形態４による画像表示機器２０４ａの機能をソフトウェアにより実現したものについて説明する。
【０１３７】
図１０は、本発明の実施形態６による画像表示機器を説明する図である。
【０１３８】
この実施形態６の画像表示機器５５０は、実施形態４の画像表示機器２０４ａにおける機能をソフトウェアにより実現したものである。
【０１３９】
つまり、この画像表示機器５５０は、データバス５６に接続されたＣＰＵ５０を有し、このＣＰＵ５０は、実施形態４による画像表示機器２０４ａにおける編集ロック部１１００、編集部４００、主制御部６００ｃ、輝度制御部８００ｃに対応する各機能をそれぞれ、編集ロック手段５０ａ、編集手段５０ｂ、制御手段５０ｃ、輝度制御手段５０ｄとして、制御プログラムに従って構築したものである。
【０１４０】
また、画像表示機器５５０は、データバス５６に接続された入力部５１及び出力部５２を有しており、これらは実施形態４の入力部３０１及び表示部７００ａと同一の構成を有している。なお、ここでは、入力部５１及び表示部５２とデータバス５６との間のインターフェース部は省略している。
【０１４１】
さらに、画像表示機器５５０は、データバス５６に接続されたＲＯＭ５３及びＲＡＭ５４をデータ格納部として有し、上記制御プログラムはＲＯＭ５３に格納されており、ＲＡＭ５４は、実施形態４の画像表示機器２０４ａにおける保存部５００を構成するものであり、コンテンツデータＴｄが格納されている。また、画像表示機器５５０は、データバス５６に接続された外部記録媒体駆動手段５５を有しており、これは、ＵＳＢメモリなどの外部記録媒体を接続する接続端子３００ｂに相等している。
【０１４２】
なお、図１０に示す画像表示機器では、実施形態４の画像表示機器２０４ａにおける編集ロック部１１００、編集部４００、主制御部６００ｃ、及び輝度制御部８００ｃの機能をソフトウェアにより実現しているが、入力部３０１についても、その無線受信部３００ａ及びキーボード接続端子以外の機能（入力処理部３００）をソフトウェアにより実現してもよい。
【０１４３】
また、図１０に示す画像表示機器は、実施形態４の画像表示機器における機能をソフトウェアにより実現したものであるが、実施形態１〜３、５の画像表示機器についてもその機能を同様にソフトウェアにより実現することができる。
【０１４４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１４５】
本発明は、画像表示機器、表示制御装置、表示制御方法、制御プログラム、およびプログラム記録媒体の分野において、リモコン操作など簡易な操作により、表示する画像（コンテンツ）の内容を編集可能とした画像表示機器及びこのような画像表示機器としてコンピュータを動作させることができる制御プログラムを実現し、さらに、画像表示装置に表示する画像をリモコン操作など簡易な操作により編集可能とする、半導体モジュールとしての表示制御装置、表示制御方法、及び制御プログラム、並びに、上記制御プログラムを記録したプログラム記録媒体を実現することができる。
【０１４６】
また、本発明によれば、画像表示機器に表示されているコンテンツの編集禁止（編集ロック）を解除するためのパスワードの入力操作が行われていることを周りの人に知らせることができ、これにより画像表示機器の表示内容を勝手に変更しようとする悪意ある第３者による不当行為を抑止することができる画像表示機器及びこのような画像表示機器としてコンピュータを動作させることができる制御プログラムを実現し、さらに画像表示装置に表示する画像をリモコン操作などの簡単な操作により編集可能とする、半導体モジュールとしての表示制御装置、表示制御方法、及び制御プログラム、並びに、このような制御プログラムを記録したプログラム記録媒体を実現することができる。
【０１４７】
さらには、本発明は、ネットワークを用いず、画像表示機器とこれを操作するリモコンなどの無線入力装置とによりコンテンツの編集及び表示を行うことができ、このため、ネットワーク管理に関わる機能を設ける必要がなく、これにより費用の節減が可能となり、より安価にすることができる。
【０１４８】
このように本発明は、広告などの不特定多数の人に向けてのコンテンツを提供する画像表示機器の分野で有用なものである。
【符号の説明】
【０１４９】
５０  ＣＰＵ
５０ａ  編集ロック手段
５０ｂ  編集手段
５０ｃ  制御手段
５０ｄ  輝度制御手段
５１  入力部
５２  表示部
５３  ＲＯＭ
５４  ＲＡＭ
５５  外部記録媒体駆動部
５６  データバス
１００、１００ａ、１００ｃ  無線入力装置（リモコン）
２０１ａ、２０２ａ、２０３ａ、２０４ａ、２０５ａ、５５０  画像表示機器
２０１〜２０５  機器本体
３００  入力処理部
３００ａ  受信部
３００ｂ  キーボード接続端子
３０１  入力部
４００  編集部
５００  保存部
６８０ａ、６８０ｃ、６９０ｂ、６９０ｄ  制御部
６００ａ、６００ｂ、６００ｃ、６００ｄ  主制御部
７００、７００ａ  表示部
７０１  表示面
８００、８００ｃ  輝度制御部
９００、９００ｄ  発光制御部
１０００  発光部
１１００  編集ロック部
ＢＣｄ  表示輝度設定指令
ＢＣｓ  表示輝度制御信号
Ｃｄ  表示制御情報
Ｃｏｐ  入力操作信号
Ｃｓ  制御信号
Ｄｄ  表示信号
ＥＣｄ  警告制御指令
Ｅｏｐ  編集操作信号
ＥＬｓ  編集警戒信号
ＬＣｄ  発光輝度設定指令
ＬＣｓ  発光輝度制御信号
ＯＢ１〜ＯＢ３  物体
Ｒｓ  無線信号
Ｔｄ  テンプレートデータ
Ｖｄ  画像情報
【図１】
2013152547.tif 000003
【図２】
2013152547.tif 000004
【図３】
2013152547.tif 000005
【図４】
2013152547.tif 000006
【図５】
2013152547.tif 000007
【図６】
2013152547.tif 000008
【図７】
2013152547.tif 000009
【図８】
2013152547.tif 000010
【図９】
2013152547.tif 000011
【図１０】
2013152547.tif 000012
【図１１】
2013152547.tif 000013
【図１２】
2013152547.tif 000014